(57)【要約】  【課題】  本発明では、ペットの世話をする場合、或いは、ペットが就寝する場合など用途、状況に応じてその形態を変更することにより、ペットにとって快適で、しかも、部屋などの限られたスペースにおいても効率的に使用することのできるペット用ベッドの提供を目的とする。  【解決手段】  ペットＡを載置する第１の載置部１２に載置したペットＡにおける少なくとも側面側を包囲する包囲部１４における少なくとも１側面を、該部位を開閉可能とする開閉部材１９で構成し、上記開閉部材１９における下部側は、上記包囲部１４に対して外側へ倒伏可能に上記第１の載置部１２、又は／及び、上記包囲部１４の下部側に枢着して構成され、上記開閉部材１９が倒伏したとき、上記開閉部材１９を、上記第１の載置部１２と並置される第２の載置部（１９）としてペットＡを載置可能に構成したペット用ハウス１１，１２。  【選択図】    図１
2006136226.tif 000002
【特許請求の範囲】
【請求項１】
ペットを載置する第１の載置部と、該載置部に載置したペットにおける少なくとも側面側を包囲する包囲部とを具備したペット用ハウスであって、
上記包囲部における少なくとも１側面を、該部位を開閉可能とする開閉部材で構成し、
上記開閉部材における下部側は、上記包囲部に対して外側へ倒伏可能に上記第１の載置部、又は／及び、上記包囲部に枢着して構成され、
上記開閉部材が倒伏したとき、上記開閉部材を、上記第１の載置部と並置される第２の載置部としてペットを載置可能に構成した
ペット用ハウス。
【請求項２】
前記開閉部材を倒伏させたときにおいて、上記開閉部材の周縁部における、前記包囲部、又は前記第１の載置部と対接しない部位に対応する部位にガイド部を突設し、
上記包囲部における上記開閉部材に相当する部位で開口する開口部の開口縁部において、上記開閉部材を起立させるとき上記ガイド部が干渉する部位を切り欠いた
請求項１に記載のペット用ハウス。
【請求項３】
前記開閉部材の先端側における前記ガイド部の所定部位を切り欠いた
請求項２に記載のペット用ハウス。
【請求項４】
前記開閉部材は、前記第１の載置部における載置面と、前記第２の載置部における載置面とが略同一の高さで並置されるよう、上記第１の載置部に枢着され、
上記各載置面に敷設される大きさを備えたクッション部材を具備し、
上記クッション部材を上記各載置面に敷設したとき、上記第１の載置部と上記第２の載置部との接続部に対応する部位を、折畳み可能に形成した
請求項１から請求項３のいずれか一項に記載のペット用ハウス。
【請求項５】
前記開閉部材に、ペットが前記包囲部に対して出入り可能な大きさを備えた出入り用口部を形成した
請求項１から請求項４のいずれか一項に記載のペット用ハウス。
【請求項６】
前記開閉部材を起立状態に保持する保持手段を、前記包囲部における上記開閉部材の近傍、及び、上記開閉部材に形成した
請求項１から請求項５のいずれか一項に記載のペット用ハウス。
【発明の詳細な説明】
【技術分野】
【０００１】
この発明は、ペットを就寝させる場合や、所定の範囲内で遊ばせたりする場合に最適なペット用のベッド、ハウスなどのペット用品に関し、さらに詳しくは、必要に応じてその形態を変更することのできるペット用品に関する。
【背景技術】
【０００２】
最近、様々なペット用ハウスをはじめとしてペットを所定の範囲内において遊ばせたり、就寝させたりするために用いるペット用品が存在する。
【０００３】
例えば、下記特許文献１では、ペット用ハウスのように立体的な構成をし、その中にペットを格納して用いるペット用ベッドが開示されている。
【０００４】
上記ペット用ベッドは、ペットを載置可能とする底面部材を具備し、該底面部材を包囲する包囲部材を形成し、該包囲部材における前方の斜上方部位には、該部位を開口させた開口部を構成している。さらに、包囲部における開口部に対して奥側の下端部には、上記背面支持部材という部材が上記底面部材に対して起立、或いは倒伏可能に片状に取り付けられている。
【０００５】
上記構成を採るペット用ベッドは、ペットを一定の範囲内に留めておくことができるため、部屋に設置して用いる場合、特に有効である。
【０００６】
さらに、上記ペット用ベッドは、開口部側においては、例えば、該開口部を通じて飼主がペットの世話を施すことができ、また、包囲部の内側には、ペットを安心して就寝させることもできる。
【０００７】
しかし、上記ペット用ベッドは、上述したいずれの用途で用いる場合においても同一形態のまま用いられる。つまり、常に最適な形態で使用しているとはいえないため、無駄に設置場所を要してしまうことになる。よって、部屋などの限られた場所に設置する場合は特に不便である。
【０００８】
かといって仮に、上記ペット用ベッド自体を狭く構成した場合は、ペットは、常に圧迫感を感じてしまうことになるため、ストレスの原因となる。
【０００９】
なお、ペット用ベッドは、包囲部を支持するために、上記背面支持部材を起立させて用いられるが、反対に、この上記背面支持部材を倒伏させることで、ペット用ベッド自体を折り畳んでコンパクトな形態とすることができる。しかし、ペット用ベッドをコンパクトな形態とすることができるのは、不使用時において、ペット用ベッドを収納する場合に限ってのみであり、ペットが使用する状況に応じてペット用ベッドの形態を変更することはできない。
【００１０】
【特許文献１】特開２００２−８４９１２号公報
【発明の開示】
【発明が解決しようとする課題】
【００１１】
そこで本発明では、ペットの世話をする場合、或いは、ペットが就寝する場合など用途、状況に応じてその形態を変更することにより、ペットにとって快適で、しかも、部屋などの限られたスペースにおいても効率的に使用することのできるペット用ハウスの提供を目的とする。
【課題を解決するための手段】
【００１２】
本発明のペット用ハウスは、ペットを載置する第１の載置部と、該載置部に載置したペットにおける少なくとも側面側を包囲する包囲部とを具備したペット用ハウスであって、上記包囲部における少なくとも１側面を、該部位を開閉可能とする開閉部材で構成し、上記開閉部材における下部側は、上記包囲部に対して外側へ倒伏可能に上記第１の載置部、又は／及び、上記包囲部に枢着して構成され、上記開閉部材が倒伏したとき、上記開閉部材を、上記第１の載置部と並置される第２の載置部としてペットを載置可能に構成したことを特徴とする。
【００１３】
上記開閉部材における下部側を枢着する構成は、例えば、上記開閉部材における下部側を、ヒンジを用いて上記第１の載置部に枢着する構成、或いは、ピンやベアリングを用いて上記包囲部に枢着する構成、さらには、これらを組み合わせた構成など１つの構成に限定しない。
【００１４】
また、本発明のペット用ハウスは、上記開閉部材を倒伏させたときにおいて、上記開閉部材の周縁部における、上記包囲部、又は上記第１の載置部と対接しない部位に対応する部位にガイド部を突設し、上記包囲部における上記開閉部材に相当する部位で開口する開口部の開口縁部において、上記開閉部材を起立させるとき上記ガイド部が干渉する部位を切り欠いた構成であることを特徴とする。
【００１５】
さらに、上記ペット用ハウスは、上記開閉部材の先端側における上記ガイド部の所定部位を切り欠いて構成してもよい。
【００１６】
上記ペット用ハウスは、上記開閉部材を、上記第１の載置部における載置面と、前記第２の載置部における載置面とが略同一の高さで並置されるよう、上記第１の載置部に枢着し、上記各載置面に敷設される大きさを備えたクッション部材を具備し、上記クッション部材を上記各載置面に敷設したとき、上記第１の載置部と上記第２の載置部との接続部に対応する部位を、折畳み可能に形成した構成であることを特徴とする。
【００１７】
さらに、上記ペット用ハウスは、上記開閉部材に、ペットが前記包囲部に対して出入り可能な大きさを備えた出入り用口部を形成した構成とすることができる。
【００１８】
また、上記開閉部材を起立状態に保持する保持手段を、上記包囲部における上記開閉部材の近傍、及び、上記開閉部材に形成することもできる。
【００１９】
上記保持手段は、例えば、マグネット（磁石）、係合部材（バックル）、スライドファスナ、紐部材、面ファスナなどにより構成することができる。
【００２０】
また、上記ペット用ハウスには、取手を設け、持ち運び可能に構成するなど、用途、状況に応じた形態で形成してもよい。ペット用ハウスの材質は、木材、金属、布、或いは、これらを組み合わせたものなど特に限定しない。
【発明の効果】
【００２１】
請求項１に係る発明によれば、本発明のペット用ハウスは、ペット用のハウスとして用いることに限定せず、例えば、ペット用のベッドとしてなど、設置場所、用途に応じてその形態を変更して用いることができる。
【００２２】
また、本発明のペット用ハウスの形態を変更する際においても、いちいちクッション部材をペット用ハウスから他の場所へ移動させる等の手間を要さず、単に、開閉部材を倒伏させたり、起立させたりするだけで、容易に形態を変更することができる。
【００２３】
請求項２に係る発明によれば、ガイド部を設けることで、クッション部材が位置ずれしないよう規制したり、さらには、開閉部材を倒伏したとき、ペットがペット用ベッドから外側へ移動したりしないよう規制することもできる。
【００２４】
請求項３に係る発明によれば、切り欠いた部位の縁部を、開閉部材を倒伏、或いは起立する際に把持する把手として用いることができるため、開閉部材を容易に起立させたり、倒伏させたりすることができる。
【００２５】
請求項４に係る発明によれば、クッション部材を具備することにより、ペット用のベッドとして用いることができ、ペットの快適性を向上させることができる。
【００２６】
しかも、上記第１の載置部と上記第２の載置部との接続部に対応する部位を、折畳み可能に形成することにより、開閉部材を起立、或いは倒伏する際にクッション部材が邪魔になることがなく、スムーズにその形態を変更することができる。
【００２７】
請求項５に係る発明によれば、開閉部材を起立させたとき、上記出入り用口部を通じてペットを出入りさせることができるため、通常のペット用のハウスとして用いることができる。  
一方、開閉部材を倒伏させたときには、出入り用口部の存在により、開閉部材に敷設したクッション部材の通気性が向上するため、ペットにとって快適なペット用ベッドとして用いることができる。
【００２８】
請求項６に係る発明によれば、開閉部材を保持手段によって保持することにより開閉部材が不必要に倒伏してしまうことがない。このため、ペットが包囲部の内部で騒いでもペット用ハウスとしての形態を保持することができる。
【発明を実施するための最良の形態】
【００２９】
この発明の一実施形態を、以下図面を用いて説明する。  
【実施例１】
【００３０】
図１は、本実施形態に係るペット用ハウス１１の内側からペットＡ（犬）が頭部を覗かせている状態を示す。
【００３１】
上記ペット用ハウス１１の構成は、図２、図３に示したとおり、底面側に、ペットＡを載置可能な大きさをした木製の載置部材１２を形成している。上記載置部材１２には、柔軟なクッション部材１３を載置し（図３（ｂ）参照）、該クッション部材１３の上には、ペットＡが載置される（図示せず）。  
上記クッション部材１３は、袋状の布に綿を充填して上記載置部材１２に載置可能な大きさに構成したクッション部を２つ連接した構成を採る。上記クッション部材１３は、２つ折りにした状態で載置部材１２に載置されている（図３（ｂ）参照）。
【００３２】
さらに、上記クッション部材１３にペットＡが載置されているとき、該ペットＡの略全周を包囲する包囲部材１４を木製により該ペットＡの略全周に構成している。上記包囲部材１４における左右各側に対応する左側面部１５、及び、右側面部１６、さらに上面側に対応する上面部１７は、一枚の合板により構成し、上記各面部の境界部に対応する部位を屈曲させて、略コの字形とした木製の曲げ合板により構成している（図１参照）。
【００３３】
上記左側面部１５、及び、上記右側面部１６については、その上部側、及び、下部側に、奥行き方向に開口したスリット部１５ａ（長穴）を形成している。
【００３４】
また、包囲部材１４における背面側は、一枚の背面部材１８により木製で構成し、上記曲げ合板と一体に構成している。
【００３５】
ペット用ハウス１１の正面図を示す上記図２に示したように、上記背面部材１８には、上下方向に開口した通気用のスリット部１８ａを合計５つ左右方向に形成している。  
また、上記包囲部材１４における前面側については、該部位を開口させた開口部３０を構成しているが、上記前面側には、該開口部３０を開閉可能とする開閉部材１９を具備している。  
上記開閉部材１９は、図４（ａ），（ｂ）に示したように、その下端部を２つのヒンジ２０（回動部材）により載置部材１２の前端部に枢着し、開閉部材１９を倒伏、或いは起立可能に形成している。  
なお、図４（ａ）は、上記図２におけるＢＢ矢視図であり、図４（ｂ）は、上記図３（ｂ）における領域Ｘを拡大した図を示す。
【００３６】
上記構成により、包囲部材１４における開閉部材１９を倒伏、或いは、起立させることで、開口部３０を開閉することができる。
【００３７】
さらに、開閉部材１９は、上記開口部３０の略全体を閉塞可能な大きさを備えた板状に形成し、その中央部位をペットＡが出入り可能な大きさに開口させたペットＡの出入り用口部２２を形成している。  
なお、上記出入り用口部２２は、その上部を、正面視半円弧状とし、中部から下部にかけて、平面視矩形として、これらを接合させた形状により開口している（図２参照）。
【００３８】
さらに、上記開閉部材１９における板状に形成した部位の外周縁部であって、上記載置部材１２と対向する側の縁部を除いた部位には、ガイド部２３を突設している。上記ガイド部２３は、板状に形成した部位に対して垂直方向の両側へ突き出して形成している。
【００３９】
上記開閉部材１９における先端側に有するガイド部２３は、その幅方向の中央部位を切り欠いて切り欠き部２４を形成している（図３（ａ），（ｂ）参照）。上記切り欠き部２４の切り欠き量は、開閉部材１９を起立させたとき、該切り欠き部２４に人が手を差し込み可能な幅、及び、深さに切り欠いている。
【００４０】
そして、上記開閉部材１９の先端側に有するガイド部２３における中央部を隔てた両側、すなわち、上記切り欠き部２４を形成した両側には、Ｌ形の金具２５が取り付けられている。
【００４１】
一方、包囲部材１４の上面部１７の裏面における開口部３０の縁部であって、上記開閉部材１９を起立させたとき、上記開閉部材１９に取り付けた金具２５と対接する部位には、図４（ｃ）に示したように、ブラケット２６ａを介してマグネット２６（磁石）を取り付けている。  
なお、図４（ｃ）は、図３（ｂ）における領域Ｙを拡大した図を示す。  
上記構成により、マグネット２６の磁力を利用して開閉部材１９を起立した状態に保持することができる。
【００４２】
また、上記包囲部材１４は、左右各面部１５，１６における開口部３０の縁部側の上面側、及び上面部１７における開口部３０の縁部側を切り欠いた切り欠き部２７を構成している。  
上記切り欠き部２７は、開閉部材１９を倒伏、或いは起立させるときに、開閉部材１９のガイド部２３が包囲部材１４に干渉することを回避すべく、干渉する部位に少なくとも相当する部位を切り欠いた部位である。
【００４３】
同様に、上記載置部材１２においても、開閉部材１９を倒伏、或いは起立させたとき、開閉部材１９のガイド部２３が干渉する部位に相当する部位を切り欠いて切り欠き部２８を形成している（図４（ｂ）参照）。
【００４４】
また、上記ペット用ハウス１１内には、ペット専用のパネル型ヒータ２９が設置され、電源用配線を上記スリット部１５ａから外部へ配している。  
本実施形態に係るペット用ハウス１１は、上述したように構成する。
【００４５】
上記ペット用ハウス１１は、上記開閉部材１９を倒伏すれば、図５、図６に示したようにペット用のベッドとして用いることもできる。具体的に、まず、ペット用ハウス１１が上記図１のような形態であるときに、飼主は開閉部材１９の上端部におけるガイド部２３を抓む、或いは、上記切り欠き部２４に手を差し入れて該切り欠き部２４の縁部を把持する。そのまま、開閉部材１９を手前側へ引っ張ると、マグネット２６と金具２５とが「かちっ」と音がして離間し、これらが一旦、離間すれば、開閉部材１９を容易に倒伏させることができる。
【００４６】
開閉部材１９は、図７（ａ），（ｂ）に示したようにガイド部２３が地面に接地するまで倒伏させることができるため、該ガイド部２３により開閉部材１９全体を支持することができる。このとき、開閉部材１９を起立していた状態においては、開閉部材１９の内壁面であった面１９ａが水平面を構成するため、該開閉部材１９の内壁面であった面１９ａを載置面として利用することができる。  
すなわち、開閉部材１９を倒伏したとき、開閉部材１９は、上記載置部材１２と並んで第２の載置部材として活用できる。
【００４７】
上記第１の載置部材１２と第２の載置部材（開閉部材１９）とにおける各載置面は、互いに略同一の高さになるよう並置することができる。このため、上記第１の載置部材１２に折り畳んだ状態で敷設されていたクッション部材１３を広げたとき、該クッション部材１３は、第１の載置部材１２と第２の載置部材１２との略全面に敷設することができる（図７（ｂ）参照）。  
これにより、ペット用ハウス１１をペット用のベッドとして使用することができる。
【００４８】
このような形態とすれば、ペットＡにとっても開放感が得られ、飼主にとってもペットＡの世話を行い易い。また、包囲部材１４の内部を覗き込まなくても、一目でペットＡの様子を伺うことができる。
【００４９】
ここで、開閉部材１９を起立していたとき、ペットＡの出入り用口部２２として開口した部位は、開閉部材１９を倒伏した状態においては、上記クッション部材１３に閉塞された状態となる（図７（ｂ）参照）。
【００５０】
このため、ペットＡをクッション部材１３における、ペットＡが出入り用口部２２に相当する部位に載置しても、クッション部材１３によりペットＡを支持することができる。
【００５１】
しかも、開閉部材１９を倒伏させたときには、出入り用口部２２が存在することによりクッション部材１３の通気性を確保することができる。このため、夏場に使用する場合でもペットＡを快適な状態に保つことができるとともに、クッション部材１３を衛生的に保つことができる。
【００５２】
また、ペット用のベッドとしての形態から再度、開閉部材１９を起立させてペット用のハウスとしての形態に戻す場合も、ペットＡを一旦、ペット用ハウス１１の外側に移した状態で、飼主は、例えば、ガイド部２３を把持し、そのまま開閉部材１９を持ち上げて起立させるだけでよい。  
これにより、再度、上記金具２５とマグネット２６が「かちっ」と音がして、結合し、上記開閉部材１９を起立状態に保持することができる。  
しかも、開閉部材１９を起立させたとき、クッション部材１３における開閉部材の内壁面であった面１９ａに載置していたクッション部は、載置部材１２に敷設しているクッション部の側へ倒伏する。このため、クッション部材１３を受動的に折り畳むことができる。  
上述したように、本実施形態に係るペット用ハウス１１は、開閉部材１９を倒伏させたり、起立させたりするだけで、容易に形態を変更することができる。
【００５３】
次に、他の実施形態に係るペット用ハウス２１について説明するが、特に上述したペット用ハウス２１の構成と異なる部分を中心に、本実施形態に係るペット用ハウス２１の構成について説明する。
【００５４】
図８に示したように、上記出入り用口部２２に対応する部位には、ペットＡが該部位２２に対して出入りが不可能なように複数の柵３１ａを立設させた窓部３１を構成している。
【００５５】
すなわち、上記構成を採るペット用ハウス２１の場合、開閉部材１９を倒伏した状態においては、上述したペット用ハウス１１と同様にペットＡをペット用のベッドに対して外側、或いは内側を自在に移動させることができるが、開閉部材１９を起立させたときは、ペットＡを包囲部材１４の内部に留めておくことができる。  
このため、ペットＡがペット用ハウス２１から不必要に抜け出ることを防止することができ、一定の範囲にペットＡを留めておきたい場合には、開閉部材１９を起立させればよいため、有効である。
【００５６】
勿論、上記窓部３１は、複数の柵３１ａを出入り用口部２２に相当する部位に立設した構成の窓部３１に限らず、ペット用ハウスは、該部位２２に、該部位２２を開閉可能とする扉を取り付けた構成であってもよい（図示せず）。
【００５７】
上記構成を採れば、上記出入り用口部２２に対応する部位を扉により、閉塞しておけば、開閉部材１９を倒伏させたとき、該部位２２は、扉により閉塞しているため、倒伏した開閉部材１９にクッション部材１３を敷設しなくても直接、ペットＡを載置することができる。  
よって、このようなペット用ハウスは、例えば、開閉部材１９を倒伏させたときにおいて、ペット用のベッドとして用いることに限らず、例えば、第２の載置部に餌や水などを入れたトレイを載置して用いることもできる。
【００５８】
また、上記ペット用ハウス２１などは、ペット用キャリーケース、或いは、ペット用コンテナケースとしても用いることができる。すなわち、例えば、包囲部材１４における上面部１７、或いは側面部１５，１６の所定部位に取手を具備して構成してもよい。
【００５９】
上記構成を採れば、上記開閉部材１９を起立させてペットＡを内部に留めた状態とすれば、取手を把持してペット用ハウス２１ごとペットＡを持ち運ぶことができる。そして、開閉部材１９を倒伏したときは、上述したとおり、ペットＡを開放した状態で設置することができる。
【００６０】
その他、上記開口部３０は、包囲部材１４の前面全体に形成したが、前面側の所定部位のみに設けて、該部位を開閉可能とする開閉部材を取り付けた構成であってもよく、また、包囲部材１４における前面側のみに形成することに限定せず、側面などを上記前面側と同様の構成で形成してもよい。
【００６１】
また、上述の実施形態と、この発明の構成との対応において、この実施形態の載置部材１２は、この発明の載置部に対応し、以下同様に、
包囲部材１４は、包囲部に対応し、
マグネット２６、及び金具２５は、保持手段に対応し、
切り欠き部２４は、ガイド部の所定部位に対応し、
切り欠き部２７は、ガイド部が干渉する部位に対応するも、この発明は、上述の実施形態の構成のみに限定されるものではなく、上述したように多くの実施の形態を得ることができる。
【図面の簡単な説明】
【００６２】
【図１】本実施形態に係るペット用ハウスの使用状態図。
【図２】本実施形態に係るペット用ハウスの正面図。
【図３】本実施形態に係るペット用ハウスの平面図（ａ）、図２におけるＡＡ矢視図（ｂ）。
【図４】図２におけるＢＢ矢視図（ａ）、図３（ｂ）における領域Ｘの拡大図（ｂ）、図３（ｂ）における領域Ｙの拡大図（ｃ）。
【図５】本実施形態に係るペット用ハウスの他の形態における使用状態図。
【図６】本実施形態に係るペット用ハウスの他の形態を示す外観図。
【図７】本実施形態に係るペット用ハウスの他の形態を示す平面図（ａ）、図２におけるＡＡ矢視した本実施形態に係るペット用ハウスの他の形態を示す断面図（ｂ）。
【図８】本実施形態に係る他のペット用ハウスを示す外観図。
【符号の説明】
【００６３】
１１，２１…ペット用ハウス
１２…載置部材
１３…クッション部材
１４…包囲部材
１９…開閉部材
２２…出入り用口部
２３…ガイド部
２４…切り欠き部
２６…マグネット
２５…金具
２７…切り欠き部
【図１】
2006136226.tif 000003
【図２】
2006136226.tif 000004
【図３】
2006136226.tif 000005
【図４】
2006136226.tif 000006
【図５】
2006136226.tif 000007
【図６】
2006136226.tif 000008
【図７】
2006136226.tif 000009
【図８】
2006136226.tif 000010